(57)【要約】      （修正有）【課題】本体部と、上記本体部に装着され、揺動を検知して発光しうる発光装置を備えた構成とすることで、装飾性に優れ、外観品質が高く、且つ飽きがこない小物家具を提供する。【解決手段】本体部１は全体直方形板状に形成され透明板４と上記透明板４の周囲に配設された額縁部５と、上記透明板４の背面側に配設され、上記透明板４との間に写真等を挟んで保持しうる台板６とから形成され、上記台板６の背面部には、立て掛け用の脚部７が装着されている。また、上記装飾部材２，３は上記透明板４の一方の対角線の両端部近傍に配置され、発光装置１１は上記装飾部材２，３の裏面側に装着されている。【選択図】図１
0003156042.tif 000002
【実用新案登録請求の範囲】
【請求項１】
室内に設置される小物家具であって、
本体部と、
上記本体部に装着され、揺動を検知して発光しうる発光装置を備えること特徴とする小物家具。
【請求項２】
上記本体部には、装飾部材が配置され、
上記発光装置は、上記装飾部材に着脱可能に取り付けられていることを特徴とする請求項１記載の小物家具。
【請求項３】
上記本体部は写真立てであることを特徴とする請求項１又は２に記載の小物家具。
【請求項４】
上記発光装置は、合成樹脂からなる薄板片のケース部と、
上記ケース部に封入された発光回路部とから形成され、
上記発光回路部は、電池と、上記電池から電源供給を受けることによって発光しうる発光ダイオードと、外部から加えられた揺動を検知しうる揺動検知センサーと、上記発光装置の配置方向を検知しうる配置方向検知手段とを備え、
上記配置方向検知手段は、上記発光装置が所定の方向に配置された場合には、回路を通電可能な状態に保持すると共に、上記発光装置が所定方向以外に配置された場合には回路を遮断状態に保持しうるスイッチ部を有することを特徴とする請求項１又は２に記載の小物家具。
【請求項５】
上記発光装置は、複数の発光ダイオードを備えると共に、上記複数の発光ダイオードの発光タイミングを調整しうる発光制御部を備えることを特徴とする請求項４記載の小物家具。
【考案の詳細な説明】
【技術分野】
【０００１】
本考案は、室内又は車室内等に設置される小物家具に関する。
【背景技術】
【０００２】
室内等において設置して使用する小物家具には、例えば写真立て、装飾用の置物、小型収納容器等、多くの種類があり、その形態も様々である。
上記小型家具は室内の外観品質を向上させるための装飾品として有効なアイテムであるが、その装飾効果は外観形状、色彩等に起因するものであり、経時的な視覚的変化には乏しい。
従って、長期間同じ配置で設置されている場合は、次第に飽きてしまうことから、定期的に配置変更等を行って、視覚的な斬新製を常に確保する必要があり、管理に手間を要するという不具合を有していた。
【０００３】
上記不具合を解決するため、図４（ｂ）に示すように、照明部材４５を有する、装飾機能付き額縁４０が提案されている（特許文献１）。
上記特許文献１に係る装飾機能付き額縁４０は、透明板４２が嵌め込まれた額縁４１の後方に装飾部材４４を設置しうる薄型直方体形の空間部４３が設けられ、上記空間部４３の上端部には、上記空間部４３を照らすための照明部材４５が配設されると共に、上記空間部４３の下端部には、上記照明部材４５を点消灯するスイッチ４６が配設されている。
上記特許文献１に係る装飾機能付き額縁４０は、例えば夜間等には上記スイッチ４６を投入して上記照明部材４５を点灯することによって、上記空間部４３内に配置された装飾部材４４が照らされるため、装飾性に優れる旨の効果を呈する。
しかしながら、上記特許文献１にかかる装飾機能付き額縁４０の照明部材４５は、スイッチ４６の入切によって、点消灯させる必要があることから、非常に煩わしく、また、点灯状態、消灯状態のいずれかの状態であるため、経時的な変化に乏しく次第に飽きてしまうという不具合については解決されなかった。
【特許文献１】特開平１０−３３８０００号
【考案の開示】
【考案が解決しようとする課題】
【０００４】
本考案の課題は、装飾性に優れ、外観品質が高く、且つ飽きがこない小物家具を提供することにある。
【課題を解決するための手段】
【０００５】
上記課題を解決するために、請求項１の考案にかかる小物家具は、室内に設置される小物家具であって、本体部と、上記本体部に装着され、揺動を検知して発光しうる発光装置を備えること特徴とする。
従って、上記発光装置は、人員的にスイッチの入り切りをすることなく、外的要因によって発生する揺動を検知して不規則に発光する。
【０００６】
また、請求項２の考案に係る小物家具は、上記本体部には、装飾部材が配置され、上記発光装置は、上記装飾部材に着脱可能に取り付けられていることを特徴とする。従って、上記発光装置が発光することによって、上記装飾部材が目立ち易くなる。
【０００７】
また、請求項３の考案に係る小物家具は、上記本体部は写真立てであることを特徴とする。
【０００８】
また、請求項４の考案に係る小物家具は、上記発光装置は、合成樹脂からなる薄板片のケース部と、上記ケース部に封入された発光回路部とから形成され、
上記発光回路部は、電池と、上記電池から電源供給を受けることによって発光しうる発光ダイオードと、外部から加えられた揺動を検知しうる揺動検知センサーと、上記発光装置の配置方向を検知しうる配置方向検知手段とを備え、上記配置方向検知手段は、上記発光装置が所定の方向に配置された場合には、回路を通電可能な状態に保持すると共に、上記発光装置が所定方向以外に配置された場合には回路を遮断状態に保持しうるスイッチ部を有することを特徴とする。
【０００９】
従って、上記発光装置を上記小物家具とは独立した別体の部品とすることが可能であり、一般的な小物家具に、後付けで取り付けることが可能となる。
また、上記ケース部に発光回路部が封入されていることから、湿気等によって発光回路部が損傷することがない。
また、上記スイッチ部によって、上記発光装置の配置方向が速やかに検知され、上記発光装置を取り外すことなく、上記発光回路部の発光有無の状態を切り替えることができる。
【００１０】
また、請求項５の考案に係る小物家具は、上記発光装置は、複数の発光ダイオードを備えると共に、上記複数の発光ダイオードの発光タイミングを調整しうる発光制御部を備えることを特徴とする。
従って、振動に連動しつつ、上記複数の発光ダイオードが断続的に発光する。
【考案の効果】
【００１１】
請求項１及び３の考案にあっては、室内に設置される小物家具であって、本体部と、上記本体部に装着され、揺動を検知して発光しうる発光装置を備えることから、装飾性に優れ、外観品質が高く、且つ飽きがこない小物家具を提供することができる。
【００１２】
また、請求項２の考案にあっては、請求項１の効果に加え、上記本体部には、装飾部材が配置され、上記発光装置は、上記装飾部材に着脱可能に取り付けられていることから、上記装飾部材の装飾効果をより高めることができると共に、上記発光装置が、独立した別体の部品として供給されるため、一般的な小物家具に後付けで取り付けることが可能となり、装飾性が高い小物家具をより低い製造コストで提供することが可能である。
【００１３】
また、請求項４の考案にあっては、上記発光装置は、合成樹脂からなる薄板片のケース部と、上記ケース部に封入された発光回路部とから形成され、上記発光回路部は、電池と、上記電池から電源供給を受けることによって発光しうる発光ダイオードと、外部から加えられた揺動を検知しうる揺動検知センサーと、上記発光装置の配置方向を検知しうる配置方向検知手段とを備え、上記配置方向検知手段は、上記発光装置が所定の方向に配置された場合には、回路を通電可能な状態に保持すると共に、上記発光装置が所定方向以外に配置された場合には回路を遮断状態に保持しうるスイッチ部を有する。
上記ケース部によって上記発光装置が保護されると共に、不要時には揺動を検知しないようにすることが可能であるため電池の消耗が少なく、上記発光装置の耐久性がより向上する。
【００１４】
また、請求項５の考案にあっては、上記発光装置は、複数の発光ダイオードを備えると共に、上記複数の発光ダイオードの発光タイミングを調整しうる発光制御部を備えることから、発光装置の発光パターンがより複雑となり、視覚的インパクトが高くなるため、装飾性が高く、外観品質が向上する。
【図面の簡単な説明】
【００１５】
【図１】本考案の一実施の形態を示し、実施の形態において、発光装置を装着した小物家具の全体斜視図である。
【図２】本考案の一実施の形態を示し、実施例の形態の小物家具に取り付けられた発光装置の（ａ）は正面図、（ｂ）は側面図、（ｃ）は背面図である。
【図３】本考案の一実施の形態を示し、実施例の形態の小物家具に取り付けられた発光装置の回路配置例を示し、（ａ）は配置方向検知手段のスイッチ部がオンの状態、（ｂ）配置方向検知手段のスイッチ部がオフの状態を示す概略図である。
【図４】従来の小物家具を示す側面図である。
【考案を実施するための最良の形態】
【００１６】
以下図面を用いて小物家具が写真立てである場合を例に、本考案の実施の形態について説明する。
図１に示すように、本実施例に係る写真立て１０は、本体部１と、上記本体部１に装着され、揺動を検知して発光しうる発光装置１１，１１を備えている。また、上記本体部１には、装飾部材２，３が配置され、上記発光装置１１，１１は、上記装飾部材２，３にそれぞれ着脱可能に取り付けられている。
また、図２に示すように、上記発光装置１１は、合成樹脂からなる薄板片のケース部１４と、上記ケース部１４に封入された発光回路部１５とから形成され、上記発光回路部１５は、電池１６と、上記電池１６から電源供給を受けることによって発光しうる３つの発光ダイオード１７，１７，１７と、外部から加えられた揺動を検知しうる揺動検知センサー１２と、上記発光装置１１の配置方向を検知しうる配置方向検知手段１３と、上記３つの発光ダイオード１７の発光タイミングを調整しうる発光制御部１９とを備えている。
また、図３に示すように、上記配置方向検知手段１３は、上記発光装置１１が所定の方向に配置された場合には、上記発光回路部１５を通電可能な状態に保持すると共に、上記発光装置１１が所定方向以外に配置された場合には上記発光回路部１５を遮断状態に保持しうるスイッチ部１８を有している。
【実施例１】
【００１７】
以下に、本考案の実施例の構成について図面を用いて詳述する。
図１は、本実施例に係る写真立て１０の全体斜視図である。
図１に示すように、本実施例に係る写真立て１０の本体部１は全体直方形板状に形成され透明板４と上記透明板４の周囲に配設された額縁部５と、上記透明板４の背面側に配設され、上記透明板４との間に写真等を挟んで保持しうる台板６とから形成され、上記台板６の背面部には、立て掛け用の脚部７が装着されている。
また、上記装飾部材２，３は上記透明板４の一方の対角線の両端部近傍に配置され、発光装置１１は上記装飾部材２，３の裏面側に装着されている。
なお、上記発光装置１１の装着方法については、上記透明板４に着脱可能な接着材で直接貼付する方法、若しくは上記装飾部材２，３にポケット部を設けて収納する方法等、適宜変更することが可能である。
【００１８】
また、図２（ａ）は発光装置１１の正面図、（ｂ）は側面図、（ｃ）背面図である。図２（ａ）に示すように、上記発光装置１１のケース部１４は、縦２３ｍｍ×横１７ｍｍ×厚さ５ｍｍの合成樹脂製の小型板片に形成されている。
また、電池１６はボタン電池であり、図２（ｂ）に示すように３つの発光ダイオード１７，１７，１７及び、振動検知センサー１２は基板２５上に配線されている。
また、図２（ｃ）に示すように、上記発光装置１１において、上記基板２５及び上記電池１６は上記ケース部１４の内部に密閉されており、その結果、上記発光装置１１は防水機能及び耐熱機能をも供えている。
また、図３は、上記発光回路部１５の構成例を示す概略図である。
図３(ａ)に示すように、上記揺動検知センサー１２は、有底円筒形の固定接点部１２ａと、上記固定接点部１２ａの内部に挿入されたコイルバネからなる可動接点部１２ｂとから形成されている。
上記発光装置１１を揺動させた場合、上記揺動に連動して、上記可動接点部１２ｂが矢印Ａの方向に揺動し、上記固定接点部１２ａに対し、当接と離間を繰り返す。
また、上記配置方向検知手段１３のスイッチ部１８は、接続線路２６の一部が遮断された遮断部１８ａと、図３（ａ）に示すように、上記発光装置１１が所定の方向に配置された場合にのみ、上記遮断部１８ａの両端を接続し、同図（ｂ）に示すように、上記所定方向以外に配置された場合には、上記遮断部１８ａの両端から離間して配置されるスイッチ片部１８ｂとから形成されている。
【００１９】
以下、本実施例の作用について添付図面を用いて説明する。
図２（ａ）に示すように上記発光装置１１のケース部１４の表面には、上記発光装置１１が発光しうる配置方向を示す案内矢印２７が印字されている。
すなわち、上記案内矢印２７の先端を上方に向けて上記発光装置１１を配置した場合、図３（ａ）に示すように上記配置方向検出手段１３のスイッチ部１８において、スイッチ片部１８ｂが接続線路２６の遮断部１８ａを接続するように配置される。
従って、上記の場合、上記揺動検知センサー１２において、可動接点部１２ａと固定接点部１２ｂとが当接することによって、発光ダイオード１７，１，１７に通電され、上記発光ダイオード１７，１７，１７が発光する。
この際、上記発光制御部１９によって、上記発光ダイオード１７，１７，１７の発光タイミングに所定の遅延を生じさせる等によって、発光パターンが複雑になり、視覚的インパクトがより大きくすることができる。
また、図３（ａ）に示す、上記案内矢印２７の先端を下方に向けて上記発光装置１１を配置した場合は、図３（ｂ）に示すように、上記配置方向検出手段１３のスイッチ部１８において、スイッチ片部１８ｂが接続線路２６の遮断部１８ａと離間して配置される。
従って、上記の場合は、可動接点部１２ａと固定接点部１２ｂとが当接した場合であっても、上記遮断部１８ａ、１８ａによって回路が遮断されているため、上記発光ダイオード１７，１７，１７が発光することはない。
図２に示すように、上記発光装置１１は防水及び耐熱機能を有するため、室内の湿気等にさらされた場合であっても故障し難い。
更に非常に低コストで入手可能であることから、写真立て１０の製造コストをより低減することが可能である。
本実施例にあっては、近傍を歩行した場合の揺動、微弱地震による揺動、風による揺動等の非常に微細な揺動をも捕らえることが可能であるため、設置した場合に不規則且つ断続的に発光を繰り返すことから、非常に装飾性に優れ、外観品質が高い写真たてを提供することが可能である。
【００２０】
なお、本実施例においては、取り付けられる上記発光装置の数は、必要に応じて適宜変更可能であり、本実施例に何ら制約されるわけではない。
また、小物家具の種類については、本実施例の写真立て以外の装飾用の置物、小型収納容器等であってもよい。
【産業上の利用可能性】
【００２１】
本考案は携帯電話機電話収納具に関する。
【符号の説明】
【００２２】
１  本体部
２  装飾部材
３  装飾部材
４  透明板
５  額縁部
６  台板
７  脚部
１０  小物家具（写真立て）
１１  発光装置
１２  揺動検知センサー
１３  配置方向検知手段
１４  ケース部
１５  発光回路部
１６  電池
１７  発光装置の発光ダイオード
１８  スイッチ部
１８ａ遮断部
１８ｂスイッチ片部
１９  発光制御部
４０  装飾機能付き額縁
４１  額縁
４２  透明板
４３  空間部
４４  装飾部材
４５  照明部材
４６  スイッチ
【図１】
0003156042.tif 000003
【図２】
0003156042.tif 000004
【図３】
0003156042.tif 000005
【図４】
0003156042.tif 000006